【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
金属製のケースと、
このケース内に配置されたアンテナと、
前記ケース内面と前記アンテナとの間に配置され、前記ケースよりも透磁率が高く、かつ導電率が低い磁性部材とを備え、
時刻データを含む標準電波によって前記アンテナに発生した反磁界が前記磁性部材を通過するようにしたことを特徴とする電子機器。
【請求項２】
前記磁性部材は、前記ケース内面に設けられていることを特徴とする請求項１記載の電子機器。
【請求項３】
ケースと、
このケース下面に取り付けられた金属製の裏蓋と、
前記ケース内に収納されたアンテナと、
前記裏蓋内面と前記アンテナとの間に配置され、前記裏蓋よりも透磁率が高く、かつ導電率が低い磁性部材とを備え、
時刻データを含む標準電波によって前記アンテナに発生した反磁界が前記磁性部材を通過するようにしたことを特徴とする電子機器。
【請求項４】
前記磁性部材は、前記裏蓋内面に設けられていることを特徴とする請求項３記載の電子機器。
【請求項５】
前記ケース内には、電子モジュールが収容され、このモジュール内に前記アンテナ及び他の電子部品が収納され、
前記磁性部材は、前記モジュールの外面に設けられていることを特徴とする請求項１又は３に記載の電子機器。
【請求項６】
アンテナ収納凹部が形成されたケースと、
このケースのアンテナ収納凹部に収納されたアンテナと、
前記ケースのアンテナ収納凹部の開口を覆う金属製のカバー部材と、
このカバー部材と前記アンテナとの間に配置され、前記カバー部材よりも透磁率が高く、かつ導電率が低い磁性部材とを備え、
時刻データを含む標準電波によって前記アンテナに発生した反磁界が前記磁性部材を通過するようにしたことを特徴とする電子機器。
【請求項７】
合成樹脂製のケースと、
このケース内に収容されたアンテナと、
前記合成樹脂製のケースの外側に取り付けられる金属製の装飾部材と、
前記ケースの外面と前記装飾部材との間に配置され、前記装飾部材よりも透磁率が高く、かつ導電率が低い磁性部材とを備え、
時刻データを含む標準電波によって前記アンテナに発生した反磁界が前記磁性部材を通過するようにしたことを特徴とする電子機器。
【請求項８】
前記磁性部材は、樹脂シートに磁性材料を分散させた磁性シートであることを特徴とする請求項１〜７のいずれか一項に記載の電子機器。
【請求項９】
前記ケース内に時刻を表示するためのモジュールが収容されていると共に、
前記ケースに機器を腕に装着するためのバンドが取り付けられていることを特徴とする請求項１〜７のいずれか一項に記載の電子機器。
【手続補正２】
【補正対象書類名】明細書
【補正対象項目名】０００７
【補正方法】変更
【補正の内容】
【０００７】
上記課題を解決するために、請求項１に記載の発明は、金属製のケース（例えば、図１の時計ケース１１）と、このケース内に配置されたアンテナ（例えば、図１のアンテナ３２）と、前記ケース内面と前記アンテナとの間に配置され、前記ケースよりも透磁率が高く、かつ導電率が低い磁性部材（例えば、図１の磁性シート４０ａ、４０ｂ）とを備え、時刻データを含む標準電波によって前記アンテナに発生した反磁界が前記磁性部材を通過するようにしたことを特徴としている。
【手続補正３】
【補正対象書類名】明細書
【補正対象項目名】０００８
【補正方法】変更
【補正の内容】
【０００８】
この請求項１に記載の発明によれば、アンテナと金属製のケースとの間に、アンテナに生じる反磁界を通過させるための磁性部材が配置された電子機器を実現できる。アンテナでは、コイル（巻線）内を通過（鎖交）する信号磁束（受信する所定の電波の磁界成分による磁束）の時間変化を妨げるような反磁界（磁束）が生じるが、このとき、反磁界は、磁気抵抗がより小さい経路を取るように分布する。即ち、アンテナに生じる反磁界は、ケースとの間に配置された磁性部材を通過し、ケースをほとんど通過しない。このため、ケースを反磁界が通過することによる渦電流損がほとんど生じない。従って、ケースを金属で形成することによるアンテナの受信感度の劣化（低下）が抑制される。
【手続補正４】
【補正対象書類名】明細書
【補正対象項目名】００１０
【補正方法】変更
【補正の内容】
【００１０】
また、請求項３に記載の発明は、ケース（例えば、図１の時計ケース１１）と、このケース下面に取り付けられた金属製の裏蓋（例えば、図１の裏蓋２３）と、前記ケース内に収納されたアンテナ（例えば、図１のアンテナ３２）と、前記裏蓋内面と前記アンテナとの間に配置され、前記裏蓋よりも透磁率が高く、かつ導電率が低い磁性部材（例えば、図１の磁性シート４０ａ、４０ｂ）とを備え、時刻データを含む標準電波によって前記アンテナに発生した反磁界が前記磁性部材を通過するようにしたことを特徴としている。
【手続補正５】
【補正対象書類名】明細書
【補正対象項目名】００１１
【補正方法】変更
【補正の内容】
【００１１】
この請求項３に記載の発明によれば、アンテナと金属製の裏蓋との間に、アンテナに生じる反磁界を通過させるための磁性部材が配置された電子機器を実現できる。アンテナでは、コイル（巻線）内を通過（鎖交）する信号磁束（受信する所定の電波の磁界成分による磁束）の時間変化を妨げるような反磁界（磁束）が生じるが、このとき、反磁界は、磁気抵抗がより小さい経路を取るように分布する。即ち、アンテナに生じる反磁界は、ケースとの間に配置された磁性部材を通過し、裏蓋をほとんど通過しない。このため、裏蓋を反磁界が通過することによる渦電流損がほとんど生じない。従って、裏蓋を金属で形成することによるアンテナの受信感度の劣化（低下）が抑制される。
【手続補正６】
【補正対象書類名】明細書
【補正対象項目名】００１２
【補正方法】変更
【補正の内容】
【００１２】
請求項４に記載の発明は、請求項３記載の電子機器において、磁性部材は、前記裏蓋内面に設けたことを特徴とする。
【手続補正７】
【補正対象書類名】明細書
【補正対象項目名】００１３
【補正方法】変更
【補正の内容】
【００１３】
請求項５に記載の発明は、請求項１又は３に記載の電子機器において、前記ケース内には、電子モジュールが収容され、このモジュール内に前記アンテナ及び他の電子部品が収納され、前記磁性部材は、前記モジュールの外面に設けられていることを特徴とする。
【手続補正８】
【補正対象書類名】明細書
【補正対象項目名】００１４
【補正方法】変更
【補正の内容】
【００１４】
また、請求項６に記載の発明は、アンテナ収納凹部が形成されたケース（例えば、図２の時計ケース１２）と、このケースのアンテナ収納凹部に収納されたアンテナ（例えば、図２のアンテナ３２）と、前記ケースのアンテナ収納凹部の開口を覆う金属製のカバー部材（例えば、図２のカバー部材１４ａ）と、このカバー部材と前記アンテナとの間に配置され、前記カバー部材よりも透磁率が高く、かつ導電率が低い磁性部材（例えば、図２の磁性シート４０ｄ）とを備え、時刻データを含む標準電波によって前記アンテナに発生した反磁界が前記磁性部材を通過するようにしたことを特徴とする。
【手続補正９】
【補正対象書類名】明細書
【補正対象項目名】００１５
【補正方法】変更
【補正の内容】
【００１５】
この請求項６に記載の発明によれば、ケースに形成されたアンテナ収納凹部を覆うカバー部材を金属で形成した電子機器を実現できる。アンテナに生じる反磁界は、金属製のカバー部材との間に配置された磁性部材を通過し、カバー部材をほとんど通過しない。このため、カバー部材に磁束が通過することによる渦電流損がほとんど生じない。従って、カバー部材を金属で形成しても、アンテナの受信感度がほとんど劣化しない。
【手続補正１０】
【補正対象書類名】明細書
【補正対象項目名】００１６
【補正方法】変更
【補正の内容】
【００１６】
また、請求項７に記載の発明は、合成樹脂製のケース（例えば、図３の時計ケース１５）と、このケース内に収容されたアンテナ（例えば、図３のアンテナ３２）と、前記合成樹脂製のケースの外側に取り付けられる金属製の装飾部材（例えば、図３のベゼル２７）と、前記ケースの外面と前記装飾部材との間に配置され、前記装飾部材よりも透磁率が高く、かつ導電率が低い磁性部材（例えば、図３の磁性シート４０ｅ）とを備え、時刻データを含む標準電波によって前記アンテナに発生した反磁界が前記磁性部材を通過するようにしたことを特徴とする。
【手続補正１１】
【補正対象書類名】明細書
【補正対象項目名】００１７
【補正方法】変更
【補正の内容】
【００１７】
この請求項７に記載の発明によれば、合成樹脂製のケースの外側に金属性の装飾部材を取り付けた電子機器を実現できる。即ち、アンテナに生じる反磁界は、装飾部材との間に配置された磁性部材を通過し、装飾部材をほとんど通過しない。このため、アンテナを金属製の装飾部材が取り付けられたケース内に配置することによる受信感度の劣化（低下）が抑制される。
【手続補正１２】
【補正対象書類名】明細書
【補正対象項目名】００１８
【補正方法】変更
【補正の内容】
【００１８】
請求項８に記載の発明は、請求項１〜７のいずれか一項に記載の電子機器において、前記ケース内に時刻を表示するためのモジュールが収容されていると共に、前記ケースに機器を腕に装着するためのバンドが取り付けられていることを特徴とする。
【手続補正１３】
【補正対象書類名】明細書
【補正対象項目名】００１９
【補正方法】変更
【補正の内容】
【００１９】
この請求項８に記載の発明によれば、外装部品を金属で形成してもアンテナの受信感度が劣化（低下）しない腕時計を実現できる。